(57)【要約】【課題】内部への海水等の水分の侵入を効果的に阻止し、それによって苛酷な環境下で長時間使用しても、安定した回転性能を維持することの可能な魚釣用リールの転がり軸受を提供することを提供すること。【解決手段】支持部に支持体を回転自在に支持する魚釣り用リールの転がり軸受において、防錆処理されているとともに、その内部に撥水性グリス又は撥水性オイルが封入されていることを特徴とする魚釣用リールの転がり軸受。【選択図】    図３
2004290153.tif 000002
【特許請求の範囲】
【請求項１】
支持部に支持体を回転自在に支持する魚釣り用リールの転がり軸受において、防錆処理されているとともに、その内部に撥水性グリス又は撥水性オイルが封入されていることを特徴とする魚釣用リールの転がり軸受。
【請求項２】
前記軸受の内輪と外輪の両側がシールドされたシールドタイプの軸受であることを特徴とする請求項１に記載の魚釣用リールの転がり軸受。
【請求項３】
前記転がり軸受の側部における前記支持部と支持体の間にシール材が介在していることを特徴とする請求項１又は２に記載の魚釣用リールの転がり軸受。
【請求項４】
前記撥水性グリスは、フッ素オイルに５ないし３０重量％のフッ素樹脂粒子を混入させてなるフッ素グリスであることを特徴とする請求項１ないし３のいずれかに記載の魚釣用リールの転がり軸受。
【発明の詳細な説明】
【０００１】
【発明の属する技術分野】
本発明は、魚釣用リールの軸受の改良に関する。
【０００２】
【従来の技術】
一般に、魚釣用リールのリール本体の支持部には、巻取り駆動機構の駆動部が、転がり軸受を介して回転自在に支持されている。このような魚釣用リールは、周知のように、海水、水、異物等が侵入して軸受に付着しやすい、海岸等の環境の厳しい屋外で使用される。そのため、通常、錆び易い鋼材で製作されている軸受には、クロム酸処理等の防錆処理が施されている。
【０００３】
また、転がり部材の潤滑及び軸受内部の防塵や異物混入の防止を図るために、軸受内部にグリスが封入され、リール本体の使用箇所によっては、軸受の両側をシールしたシールドベアリングが使用されている（例えば、特許文献１参照）。
【０００４】
このように、防錆処理が施され、内部にグリースが封入された軸受をリール本体駆動部の回転支持用の軸受として使用するとともに、リール本体の軸受部近傍にシール材を配設して、外部から海水、異物等の侵入を防止する構成を併用することにより、耐食性の面においては、或る程度の改善を図ることが出来る。
【０００５】
しかし、苛酷な使用条件、環境下で使用される魚釣用リールの場合、軸部は磨耗するためシール部に隙間が生じ、その隙間等からの海水、水等の侵入を完全に遮断することは極めて困難である。
【０００６】
また、軸受内部に封入されるグリスは、安価で汎用性が高く、品質改良し易い等の理由から、リチウム石鹸系増稠剤を使用した親水性のグリスが使用されているのが現状である。
【０００７】
【特許文献１】
特開平１０−１５５３９９号公報
【０００８】
【手段が解決しようとする課題】
しかしながら、親水性のグリスは、異物侵入防止を図ることは出来るが、水分を吸収する性質を有するため、海水が浸入・付着し易い釣り場でリールを長時間使用した場合には、軸受内部に海水が吸収されてしまう可能性が高い。その後、このように海水を吸収したグリスが乾燥すると、水分のみが蒸発して塩分が固化し、軸受内部に残留することとなる。
【０００９】
固化した塩分は、軸受内の転がり部材の回転性能を低下させてしまい、その結果、初期の回転性能を長時間維持することが出来ないという問題がある。
【００１０】
本発明は、以上のような事情の下になされ、内部への海水等の水分の侵入を効果的に阻止し、それによって苛酷な環境下で長時間使用しても、安定した回転性能を維持することの可能な魚釣用リールの転がり軸受を提供することを目的とする。
【００１１】
【課題を解決するための手段】
上記課題を解決するため、本発明は、支持部に支持体を回転自在に支持する魚釣り用リールの転がり軸受において、防錆処理されているとともに、その内部に撥水性グリス又は撥水性オイルが封入されていることを特徴とする魚釣用リールの転がり軸受を提供する。
【００１２】
かかる本発明の転がり軸受によると、内部に撥水性グリス又は撥水性オイルが封入されているため、その撥水作用により効果的に海水等の水分の侵入を阻止することが出来る。即ち、撥水性グリス及び撥水性オイルは、親水性のグリスとは異なり、海水等を吸収することがなく、逆に海水等を撥く性質を有することから、海水等の残留を最小限に抑えることが出来る。そのため、乾燥しても塩分が固化することがなく、固化した塩分による回転性能の低下が生ずることがない。
【００１３】
本発明の転がり軸受は、軸受の内輪と外輪の両側がシールドされたシールドタイプの構成とすることが出来る。このように、シールドタイプとすることと撥水性グリスを封入することの組合せにより、より効果的に水分の浸入を阻止するとともに、撥水性グリスの外部への漏出を防止することが可能となる。
【００１４】
また、本発明の転がり軸受では、側部における支持部と支持体の間にシール材が介在している構成とすることが出来る。このように、上述のようなシールドタイプとすることと撥水性グリスを封入することの組合せに対し、更にシール材を組合せることにより、更に効果的に水分の浸入を阻止することが出来る。即ち、シールドタイプの軸受であっても、高温下での使用等による膨張等により、シールと軸受との間に隙間が生ずることがあり、そこから海水等が浸入する可能性があるが、軸受の側部に更にシール材を配置することにより、海水等の浸入の阻止をより完全に行うことが出来る。
【００１５】
本発明の転がり軸受に使用可能な撥水性グリスとしては、フッ素オイルに５ないし３０重量％のフッ素樹脂粒子を混入させてなるフッ素グリスを挙げることが出来る。このような撥水性グリスは、特に優れた撥水作用を発揮するため、本発明の軸受に好適に使用可能である。
【００１６】
【発明の実施の形態】
以下、図面を参照して、本発明の実施の形態について説明する。
【００１７】
本発明に係る魚釣用リールの転がり軸受は、表面が防錆処理されているとともに、内部に撥水性グリス又は撥水性オイルが封入されていることを特徴とする。
【００１８】
本発明に係る転がり軸受の材質は、特に限定されないが、高炭素・高クロムのＳＵＪ２等の軸受鋼、ステンレス鋼等を好ましく用いることが出来る。このような材質は、海や河川のような苛酷な環境下で長期にわたりさらされると、或る程度錆びることがあるので、本発明の転がり軸受の表面は、防錆処理が施されている。
【００１９】
防錆処理は、特に限定されないが、クロム酸処理、ニッケルメッキ、防錆剤含有オイル又はグリスの塗布等を挙げることが出来る。これらの中では、クロム酸処理が特に望ましい。つまり、従来のニッケルメッキによる防錆処理では、膜厚が不均一で且つ表面が凹凸となるため、フッ素グリス中のＰＴＦＥ粒子との複合作用で異音が発生し、極端に音響性が悪化する。ところが、近年開発されたクロム酸処理による防錆処理は、表面改質処理であり、膜厚が不均一になることもなく、表面が凹凸になることもないため、フッ素グリスを封入しても音響を悪化させることはなく、回転時の異音発生を確実に防止することが出来る。
【００２０】
本発明の軸受に使用可能な撥水性グリスとして、フッ素グリス、シリコーングリス、増稠剤としてアルミコンプレックスやユリアを含有するグリス等が挙げられる。これらの中では、フッ素グリスを特に好ましく用いることが出来る。
【００２１】
フッ素グリスは、フッ素オイル、例えば直鎖タイプ又は側鎖タイプのパーフルオロアルキルエーテルにフッ素樹脂粒子、例えばＰＴＦＥ（ポリテトラフルオロエチレン）粒子を混入させたものである。フッ素樹脂粒子の混合量は、５ないし３０重量％であるのが望ましい。フッ素樹脂粒子の混合量が３０％を超えると、グリス硬度が高くなって、リール本体の支持部に支持される支持体（回転体）の回転トルクが大きくなり過ぎて、巻取り回転性能が低下し、また、５重量％未満では、グリスの硬度が低くなり過ぎて、軸受からオイルが流出し易くなり、外部にしみだして外観を悪化させたり、機能部材の作動に支障をきたしてしまう。
【００２２】
なお、フッ素グリス等の撥水性グリスは、防錆剤、油性剤、消泡剤等の添加剤を混ぜると、粘度、稠度等の性状が極端に変化するため、防錆剤が添加されていない撥水性グリスは、防錆剤入りの親水性のグリスに比べ、防錆効果が劣るため、防錆が極めて重要であった魚釣用リールの転がり軸受に使用することは、これまで全く考えられなかったが、最近の防錆処理技術の進歩により、グリスに防錆効果を期待する必要性は少なくなった。そこで、本発明では、防錆処理との組合せで撥水性グリスを封入することにより、魚釣用リールの転がり軸受の問題点を効果的に改善することが可能となった。
【００２３】
図１は、本発明の一実施例に係る軸受が装着された魚釣用スピニングリールの側面図、図２はそのＡ−Ａ断面図である。
【００２４】
図１に示すように、魚釣用スピニングリール１は、リール本体１ａと、リール本体１ａから延出する脚部１ｂと、脚部１ｂの端部に形成され且つ図示しない釣竿に取り付けられる竿取付部１ｃとを備えている。リール本体１ａ内には、図２に示すハンドル軸２（支持体）が回転可能に支持されており、リール本体１ａから突出するハンドル軸２の端部にはハンドル３が取り付けられている。
【００２５】
ハンドル軸２にはドライブギア２Ａが取り付けられており、このドライブギア２Ａには、ハンドル軸２に対して直交する方向に延在し且つ軸受を介して回転可能に支持されたピニオンギア６Ａ（支持体）が噛合している。また、このピニオンギア６Ａの先端部には、ベール４および釣糸案内装置５を備えたロータ６が一体的に取り付けられている。
【００２６】
また、前記ピニオンギア６Ａの内部には、ハンドル軸２と直交する方向に摺動可能に支持されたスプール軸７が挿通されており、スプール軸７の前端部には釣糸が巻回されるスプール８が着脱可能に取付けられている。また、前記スプール軸７の後部には、図示しない公知のオシレーティング機構が係合している。このオシレーティング機構は、ハンドル軸２がハンドル３の回転操作によって回転された時、スプール軸７を前後軸方向に沿って往復動に変換駆動する。
【００２７】
したがって、このような構成では、ハンドル３を回転操作してハンドル軸２を回転させると、前記オシレーティング機構を介してスプール軸７に取り付けられたスプール８が前後に往復動するとともに、前記ドライブギア２Ａおよび前記ピニオンギア６Ａを介してロータ６が回転駆動する。したがって、スプール８には、釣糸案内装置５を介して、釣糸が均等に巻回される。
【００２８】
以上のように構成される、魚釣用スピニングリール１において、図２に示すように、ハンドル軸２は、２つの転がり軸受２１ａ，２１ｂを介して、リール本体１ａの支持部２２に回転可能に支持されている。また、スプール軸７は、転がり軸受２２を介して、リール本体１ａの支持部２３に、ハンドル軸２と直交する方向に摺動可能に支持されている。
【００２９】
転がり軸受２１ａ，２１ｂの一例を図３に示す。図３に示すように、転がり軸受２１ａ，２１ｂは、ハンドル軸２に取付けられた内輪３１と、リール本体１ａの支持部２２に取付けられた外輪３２との間の間隙にボール３３を介在させることにより構成されている。
【００３０】
本実施例では、これら内輪３１及び外輪３２等から構成される転がり軸受２１ａ，２１ｂの素材は、軸受鋼であり、その表面は、防錆処理としてクロム酸処理が施されている。
【００３１】
内輪３１と外輪３２との間隙には、フッ素オイルにフッ素樹脂粒子を混入させた撥水性グリス３４が封入されている。そのため、転がり軸受内に海水等が侵入したとしても、撥水性グリス３４は海水を吸収せず、撥水するので、海水が軸受内に残留することがない。
【００３２】
図３に示す軸受は、両側にシール３５が設けられているシールドタイプの軸受である。このようなシールドタイプの軸受によると、シール３５により海水が軸受内に侵入するのが防止される。なお、シール３５は、撥水性グリス３４が外部に漏出するのを防止する機能をも有する。
【００３３】
更に、図２に示すように、転がり軸受２１ａ，２１ｂの外方には合成樹脂や金属からなるシール部材２７が配置されていて、このシール部材２７によっても、海水や水分をリール本体の内部に装着される軸受への侵入を防ぐようにしている。
【００３４】
以上説明した本発明の一実施例に係る転がり軸受を用いた魚釣用スピニングリール１では、転がり軸受２１ａ，２１ｂには撥水性グリス３４が封入されているため、海岸等の苛酷な環境下で長時間使用しても、その撥水作用により、転がり軸受内部に海水等が侵入することが防止される。そのため、その後の乾燥によっても転がり軸受内部に塩分が固化することがなく、転がり軸受内の転がり部材の回転性能が低下することはない。
【００３５】
また、両側にシール３５が設けられているシールドタイプの軸受であるため、シール３５により海水が軸受内に侵入するのが防止され、撥水性グリス３４が封入されていることとの組み合わせにより、より効果的に海水の侵入を防止することが出来る。また、シール３５の存在により、撥水性グリス３４が外部に漏出するのを防止することも可能である。
【００３６】
更に、転がり軸受の外方にシール部材２７が配置されているため、このシール部材２７によっても、転がり軸受への海水や水分の侵入を防ぐことが出来、防錆処理されていること、撥水性グリス３４の封入、及びシールドタイプの採用との組み合わせにより、過酷な環境下での使用に最適な転がり軸受を得ることが可能である。
【００３７】
図４は、本発明の他の実施例に係る、軸受が装着された魚釣用両軸受型リールを示す断面図である。このリール４１は、リール本体４１ａを備え、このリール本体４１ａ内にはハンドル軸４２が回転可能に支持されており、リール本体４１ａから突出するハンドル軸４２の端部にはハンドル４３が取り付けられている。
【００３８】
ハンドル軸４２にはドライブ機構４４が取り付けられており、このドライブ機構４４には、ピニオンギア４５が噛合している。ピニオンギア４５は、クラッチ機構４６を介してスプール軸４７に接続されている。即ち、クラッチ機構４６の作用により、ピニオンギア４５とスプール軸４７は直結されるか又は切り離される。なお、スプール軸４７にはスプール４８が取り付けられている。
【００３９】
魚釣用両軸受型リール１は、次のように動作する。即ち、ハンドル４３を回転すると、ハンドル軸４２の回転がドライブ機構４４を介してピニオンギア４５に伝達される。ピニオンギア４５の回転は、クラッチ機構４６の動作によりスプール軸４７に伝達され、スプール軸４７に取り付けられたスプール４８が回転し、それによってスプール４８に釣糸が巻回される。
【００４０】
以上のように構成される魚釣用両軸受型リールにおいて、ハンドル軸４２は、転がり軸受５１，５２により、リール本体４１ａの支持部４１ｂ，４１ｃに回転可能に支持されている。また、ピニオンギア４５は、転がり軸受５３，５４により、リール本体４１ａの支持部４１ｄ，４１ｃに回転可能に支持されている。更に、スプール４８が取付けられたスプール軸４７は、リール本体４１ａの支持部４１ｃに設けられた軸受５５と、リール本体４１ａの支持部４１ｅに設けられた軸受５６によって回転可能に支持されている。
【００４１】
転がり軸受５１，５２，５３，５４は、図３に示すように、内輪３１と外輪３２との間隙にフッ素オイルにフッ素樹脂粒子を混入させた撥水性グリス３４が封入されている構成を有する。そのため、転がり軸受内に海水等が侵入したとしても、撥水性グリス３４は海水を吸収せず、撥水するので、海水が軸受内に残留することがない。
【００４２】
また、軸受５４は、両側にシール３５が設けられているシールドタイプの軸受とされており、シール３５により海水が軸受内に侵入するのが防止され、かつ撥水性グリス３４が外部に漏出するのが防止される。なお、図面上省略しているが、軸受５１は外気に触れ易い箇所であるので、シールドタイプの軸受とすることが好ましい。
【００４３】
なお、スプール軸４７及びスプール４８を支持する軸受５５及び軸受５６は、スプールフリー性を重視し、撥水性グリスではなく、撥水性オイルを封入することが望ましい。また、撥水性オイルとしては、例えばフッ素オイルを封入することが望ましい。
【００４４】
以上説明した本発明の他の実施例に係る転がり軸受を用いた魚釣用両軸受型リール４１では、転がり軸受に撥水性グリス又は撥水性オイルが封入されているため、海岸等の苛酷な環境下で長時間使用しても、その撥水作用により、転がり軸受内部に海水等が侵入することが防止される。そのため、その後の乾燥によっても転がり軸受内部に塩分が固化することがなく、転がり軸受内の転がり部材の回転性能が低下することはない。
【００４５】
また、両側にシールが設けられているシールドタイプの軸受とした場合には、シールにより海水が軸受内に侵入するのが防止され、撥水性グリスが封入されていることとの組み合わせにより、より効果的に海水の侵入を防止することが出来る。また、シールの存在により、撥水性グリス３４が外部に漏出するのを防止することも可能である。
【００４６】
【発明の効果】
以上、詳細に説明したように、本発明によると、内部に撥水性グリス又は撥水性オイルが封入されているため、その撥水作用により効果的に海水等の水分の侵入を効果的に阻止することの可能な転がり軸受が提供される。即ち、撥水性グリス及び撥水性オイルは、親水性のグリスとは異なり、海水等を吸収することがなく、逆に海水等を撥く性質を有することから、海水等の残留を最小限に抑えることが出来る。そのため、乾燥しても塩分が固化することがなく、固化した塩分による回転性能の低下が生ずることがない。
【図面の簡単な説明】
【図１】本発明の一実施形態に係る転がり軸受を用いたスピニングリールを示す概略図。
【図２】図１のＡ−Ａ断面図。
【図３】本発明の一実施形態に係る転がり軸受を示す断面図。
【図４】本発明の他の実施形態に係る転がり軸受を用いた魚釣用両軸受型リールの断面図。
【符号の説明】
１・・・魚釣用スピニングリール、１ａ・・・リール本体、１ｂ・・・脚部、１ｃ・・・竿取付部、２・・・ハンドル軸、３・・・ハンドル、４・・・ベール、５・・・釣糸案内装置、６・・・ロータ、７スプール軸、８・・・スプール、２１ａ，２１ｂ，２２，５１，５２，５３，５４，５５，５６・・転がり軸受、２２，２３，４１ｂ，４１ｃ，４１ｄ，４１ｅ・・・支持部、３１・・・内輪、３２・・・外輪、３３・・・ボール、３４・・・撥水性グリス、３５・・・シール、３６・・・シール部材。
【図１】
2004290153.tif 000003
【図２】
2004290153.tif 000004
【図３】
2004290153.tif 000005
【図４】
2004290153.tif 000006